(57)【要約】【課題】第１枠部材とその後方に配置された第２枠部材とで構成するとともに、両枠部材で連通形成される連通空間を拡縮可能とすることで、内部に収容される機器類の種類や大きさが異なる複数機種の遊技機に共通で使用可能とされた筐体枠ユニットを提供すること。【解決手段】この筐体枠ユニット４は、後方が開口されて第１の内部空間１４ｊを形成すると共に遊技媒体の流下による遊技を実現する遊技装置体をその内部空間に保持する第１枠部材１４と、前方が開口されて第１の内部空間に連通する第２の内部空間１６ｅを形成すると共に第１枠部材の後方に前後移動可能に配置された第２枠部材１６とを有して構成され、前後移動によって第１内部空間と第２内部空間とにより連通形成される連通空間４ａを拡縮可能である。【選択図】図２
2009082323.tif 000002
【特許請求の範囲】
【請求項１】
後方が開口されて第１の内部空間を形成すると共に遊技媒体の流下による遊技を実現する遊技装置体をその内部空間に保持する第１枠部材と、
前方が開口されて前記第１の内部空間に連通する第２の内部空間を形成すると共に該第１枠部材の後方に前後移動可能に配置された第２枠部材と、を有して構成され、
該前後移動によって前記第１内部空間と前記第２内部空間とにより連通形成される連通空間を拡縮可能である筐体枠ユニット。
【請求項２】
前記第１枠部材に対する前記第２枠部材の前後移動を禁止する移動禁止手段を更に有する請求項１に記載の筐体枠ユニット。
【請求項３】
前記移動禁止手段が、
前記第１枠部材又は前記第２枠部材の少なくともいずれか一方に前後方向に亘って複数形成された締結ネジ固定用のネジ孔を有して構成される請求項２に記載の筐体枠ユニット。
【請求項４】
前記移動禁止手段が、
前記第１枠部材又は前記第２枠部材の少なくともいずれか一方に配置された係止爪と、
前記第１枠部材又は前記第２枠部材の少なくともいずれか他方に前後方向に亘って形成され、前記係止爪と係合可能な複数の係合凹部と、を有して構成される請求項２に記載の筐体枠ユニット。
【請求項５】
前記第１枠部材の後方端部又は前記第２枠部材の前方端部のいずれか一方の端部を挿入するために二股状とされた二股状部が、前記第１枠部材又は前記第２枠部材のいずれか他方の内側面又は外側面に形成されている請求項１から請求項３のいずれか１項に記載の筐体枠ユニット。
【請求項６】
請求項１から請求項５のうちいずれか１項に記載の筐体枠ユニットと、
前記遊技装置体と、
該遊技装置体の前方に配置され、前記筐体枠ユニットに対して前方開閉可能に揺動支持された前面枠と、
前記遊技装置体に対して一定距離以上離間して配置された前面透明板と、を有する遊技機。
【発明の詳細な説明】
【技術分野】
【０００１】
本発明は、筐体枠ユニット及び遊技機に係り、特に筐体枠ユニットにより形成される遊技機の内部空間の奥行き寸法を変更可能とする筐体枠ユニット等に関する。
【背景技術】
【０００２】
パチンコ機等の遊技機では、弾球された球が遊技盤面上を流下して、その流下の過程で球が遊技盤面上のゲージ（釘ともいう。）や羽根車に衝突しつつ転回して流下方向が変化する。そして、遊技盤面上に配置された各種入賞口や入球口への球の入賞に基づき所定の景品獲得が可能に構成されており、遊技者は、弾球における自らの技量を発揮して、又は球の流下における偶然性を利用しつつ球の入賞、入球及び景品払出しを期待し、遊技を楽しむのである。
【０００３】
例えば、雀球機やアレンジボール機等の組合せ式パチンコ機は、コインを投入すると所定個数（例えば、１１個。）の球が封入循環状態で発射可能に準備される。そして、その球を１球ずつ狙いを定めて球発射して遊技を行うのである。遊技盤面上には、多数の入球口が配置されており、その多数の入球口のうちいずれの入球口に球が入球したかによって生じる組合せに基づき、遊技者に対して景品の払出しが行われるようになっている。組合せの態様によって景品数が異なり、その景品払出しはコインの払出し（排出又はクレジット等。）によって行われる。
【０００４】
このような遊技機は、コインを払い出すためのコイン払出装置、遊技盤面上で行われる遊技を演出したり、遊技状態を制御したりするための制御機器等の機器類を収容保護するために、遊技機の周囲が筐体枠で囲まれて構成されている。
【０００５】
筐体枠は、遊技機ホールに設けられた遊技機島に遊技機を固定する際に、遊技機島に釘固定するための固定基板としての機能も有している。遊技機島に形成された遊技機固定用の開口（取付けスペース）に遊技機をはめ込み、筐体枠を遊技機島に対して釘で緊結して遊技機を固定するのである。
【０００６】
遊技機島に形成される取付けスペースは、関東と関西とではその大きさが異なる場合がある。したがって、遊技機は同じ種類の遊技機でも筐体枠の外形寸法が異なる２種類の遊技機が製造されていたり、遊技機島への固定の際に隙間を埋めるためにスペーサが用いられていたりする。
【０００７】
そこで、筐体枠の外形寸法を適宜変更可能とし、遊技機島に形成された取付スペースの違いに柔軟に対応できるようにしたものとして、例えば、特許文献１、特許文献２に開示のものがある。
【０００８】
【特許文献１】特開特開２００６−１１６２１０号公報
【特許文献２】特開特開２００６−１８１１０３号公報
【発明の開示】
【発明が解決しようとする課題】
【０００９】
遊技機の内部に収容される機器類の大きさや種類は、遊技機ごとに様々であり、それらを収容するために必要とされる遊技機の内部空間も様々である。
【００１０】
しかし、特許文献１、特許文献２に開示の筐体枠は、遊技機の外形寸法を変更することはできるものの、奥行き寸法（前後寸法）を変更することはできないため、遊技機の内部空間を変更することもできない。したがって、内部に収容する機器類の大きさや種類が異なる遊技機に合わせて、別々に異なる寸法の筐体枠を準備・製造しなければならない。
【００１１】
本発明は上記の事情に鑑みて為されたもので、第１枠部材とその後方に配置された第２枠部材とで構成するとともに、両枠部材で連通形成される連通空間を拡縮可能とすることで、内部に収容される機器類の種類や大きさが異なる複数機種の遊技機に共通で使用可能とされた筐体枠ユニットを提供することを例示的課題とする。
【課題を解決するための手段】
【００１２】
上記の課題を解決するために、本発明の例示的側面としての筐体枠ユニットは、後方が開口されて第１の内部空間を形成すると共に遊技媒体の流下による遊技を実現する遊技装置体をその内部空間に保持する第１枠部材と、前方が開口されて第１の内部空間に連通する第２の内部空間を形成すると共に第１枠部材の後方に前後移動可能に配置された第２枠部材とを有して構成され、前後移動によって第１内部空間と第２内部空間とにより連通形成される連通空間を拡縮可能である。
【００１３】
第２枠部材を前後移動することで、第１の内部空間と第２の内部空間とにより連通形成される連通空間を拡縮可能であるので、遊技機の内部に収容される機器類の大きさや種類に合わせて、連通空間を適宜拡縮することができる。したがって、内部に収容される機器類が異なる機種ごとに別々に筐体枠ユニットを製造しなくてもよいため、複数機種に共通の筐体枠ユニットとすることができ、遊技機の製造コストの抑制に寄与することができる。また、内部に収容する機器類の大きさや種類が異なる遊技機に筐体枠ユニットを再利用することができる。
【００１４】
ここで、遊技媒体としては、球やコイン等を概念することができ、例えば雀球機においてはパチンコ球を意味する。そして、遊技装置体は、その球やコイン等の遊技媒体を流下させるための遊技領域が形成された遊技盤を概念することができる。
【００１５】
「遊技装置体を内部空間に保持する」の概念には、筐体枠ユニットが直接的に遊技装置体を保持する場合のみならず、間接的に保持する場合も含まれる。例えば、筐体枠ユニットの前面に開閉可能に配置された機枠に遊技装置体が保持されている場合も含まれる。
【００１６】
なお、ここで「前」は遊技ホール等に設置された状態における遊技機から遊技者に向かう方向を意味し、「後」は逆に遊技者から遊技機に向かう方向を意味する。したがって、「前方」は遊技者にとって「手前側」であり、「後方」は遊技者にとって「奥側」である。また、本願において「筐体枠ユニットの連通空間」と「遊技機の内部空間」とは、コイン払出装置等の機器類を収容するための空間として略同義に用いる。
【００１７】
筐体枠ユニットが、第１枠部材に対する第２枠部材の前後移動を禁止する移動禁止手段を更に有していてもよい。筐体枠ユニットが移動禁止手段を有しているので、第１枠部材に対して第２枠部材を所定の位置で前後移動禁止とすることができる。したがって、内部に収容される機器類の種類や大きさ等に適した位置に第２枠部材を固定したうえで、機器類を収納することができる。また、遊技機の運搬時等に人や物がぶつかった場合であっても第２枠部材が前後移動しないので、連通空間の拡縮によって内部の機器類が破損してしまうことを防止することができる。
【００１８】
移動禁止手段が、第１枠部材又は第２枠部材の少なくともいずれか一方に前後方向に亘って複数形成された締結ネジ固定用のネジ孔を有して構成されていてもよい。
【００１９】
第１枠部材又は第２枠部材の少なくともいずれか一方に締結ネジ固定用のネジ孔が形成されているので、他方の枠部材に締結ネジ貫通用の貫通孔が形成されていれば第１枠部材と第２枠部材とを締結ネジによって強固に固定することができる。さらに、ネジ孔が第１枠部材又は第２枠部材の前後方向に亘って複数形成されているので、固定に使用するネジ孔を変更することで、連通空間を拡縮することができる。
【００２０】
締結ネジはドライバ等により締めたり緩めたりできるので、特別な工具等を使用しなくても連通空間を拡縮することができ、大変便利である。締結ネジは汎用的な部材であり入手しやすいため、締結ネジを紛失した場合であっても簡単に代替品を手に入れやすい。
【００２１】
なお、貫通孔を前後方向に延びた長孔で形成した場合には、締結ネジを完全に外さずに緩めた状態で第２枠部材を前後移動させることで、簡単に連通空間を拡縮させることができるし、前後位置を微調整することもできる。
【００２２】
移動禁止手段が、第１枠部材又は第２枠部材の少なくともいずれか一方に配置された係止爪と、第１枠部材又は前記第２枠部材の少なくともいずれか他方に前後方向に亘って形成され、前記係止爪と係合可能な複数の係合凹部と、を有して構成されていてもよい。
【００２３】
第１枠部材又は第２枠部材の少なくともいずれか一方に係止爪が配置され、他方に係止爪と係合可能な係合凹部が形成されているので、係止爪と係合凹部との係合によって、第１枠部材に対して第２枠部材を所定の位置で固定することができる。係止爪と係合凹部との係合を解除するだけで、第２枠部材が前後移動可能となる。したがって、ドライバ等の工具を使わずに簡単に係合解除して、連通空間を拡縮することができるように構成することができる。また、係合凹部が前後方向に亘って形成されているので、係止爪が係合する係合凹部を変更することで、第２枠部材を異なる前後位置で固定することができる。
【００２４】
第１枠部材の後方端部又は第２枠部材の端部のいずれか一方の端部を挿入するために二股状とされた二股状部が、第１枠部材又は第２枠部材のいずれか他方の内側面又は外側面に形成されていてもよい。
【００２５】
第１枠部材の後方端部又は第２枠部材の前方端部のいずれか一方の端部が他方の枠部材の内側面又は外側面に形成された二股状部に挿入されるので、両枠部材の隙間からの異物侵入を防止することができる。例えば、両枠部材の隙間から遊技機内部に向けてピアノ線を挿入するようなことが行われた場合であっても、二股状部と一方の端部とによって形成される隙間はクランク状になるため、ピアノ線は直進することができず遊技機内部に侵入しにくくなっている。
【００２６】
なお、第１枠部材の後方端部又は第２枠部材の前方端部のいずれか一方の端部が、二股状部に挿入されるためには、第１枠部材の内側に第２枠部材が入り込んで連通空間が形成されている場合、第２枠部材の前端が挿入される二股状部が第１枠部材の内側に形成されるか、第１枠部材の後端が挿入される二股状部が第２枠部材の外側に形成される必要がある。第２枠部材の内側に第１枠部材が入り込んで連通空間が形成されている場合、第２枠部材の前端が挿入される二股状部が第１枠部材の外側に形成されるか、第１枠部材の後端が挿入される二股状部が第２枠部材の内側に形成される必要がある。
【００２７】
本発明の他の例示的側面としての遊技機は、上記筐体枠ユニットと、遊技装置体と、遊技装置体の前方に配置され、筐体枠ユニットに対して前方開閉可能に揺動支持された前面枠と、遊技装置体に対して一定距離以上離間して配置された前面透明板と、を有する。
【００２８】
連通空間を拡縮可能である筐体枠ユニットを有しているので、遊技機の内部領域に収容される機器類の大きさや種類に合わせて連通空間を形成することができる。また、複数の遊技機で共通の筐体枠ユニットを用いることができるので、遊技機の製造コスト抑制に寄与することができる。
【００２９】
本発明の更なる目的又はその他の特徴は、以下添付図面を参照して説明される好ましい実施の形態によって明らかにされるであろう。
【発明の効果】
【００３０】
本発明によれば、筐体枠ユニットを第１枠部材とその後方に配置された第２枠部材とで構成し、両枠部材で連通形成される連通空間を拡縮可能とすることで、内部に収容される機器類の種類や大きさが異なる複数機種の遊技機に共通で使用可能とされた、遊技機の製造コストの抑制及び再利用性の向上に寄与することができる筐体枠ユニットを提供することができる。また、第１枠部材と第２枠部材との隙間からの遊技機内部に向けた異物侵入を防止することで、ピアノ線等の異物挿入による不正行為を好適に防止することができる。
【００３１】
筐体枠ユニットを第１枠部材とその後方に配置された第２枠部材とで構成し、両枠部材で連通形成される連通空間を拡縮可能とすることで、内部に収容される機器類の種類や大きさが異なる複数機種の遊技機に共通で使用可能とされた、遊技機の製造コストの抑制に寄与することができる筐体枠ユニットを提供すること
【発明を実施するための最良の形態】
【００３２】
［実施の形態］
以下、本発明の実施の形態について図面を用いて説明する。図１は、本発明の実施の形態に係る遊技機としての雀球機２の外観斜視図である。この雀球機２は、筐体枠ユニット４、遊技盤（遊技装置体）６、機枠８、前面ガラス（前面透明板）１０、装飾枠１２、コイン投入ユニット１３、ハンドル３０、受皿１７を有している。
【００３３】
遊技機は、コインを投入して遊技を行う遊技機であり、特にアレンジボール機等の組合せ式パチンコ機、封入循環式パチンコ機、等の種々のパチンコ機及びスロット機を含む。本実施の形態においては、その中でも特に雀球機２を例示して説明する。
【００３４】
筐体枠ユニット４は、この雀球機２の周囲を囲む枠体であり、平面視略長方形に構成され、材料としては木材・樹脂・金属等が適用可能であるが、本実施の形態では金属としてのアルミニウムを用いている。筐体枠ユニット４は、その内部にコイン払出装置（図示せず。）等の様々な内部機器を収容して、それらを保護しているのである。
【００３５】
筐体枠ユニット４は、図２に示すように、前側枠部材（第１枠部材）１４と後側枠部材（第２枠部材）１６とを有してユニット構成されている。
【００３６】
前側枠部材１４は、後方が開口されて雀球機２の上下面及び左右側面を囲み、前方から見て左側面側には機枠８及び装飾枠１２を揺動支持するためのヒンジ部（揺動支持部）１８が設けられている。前側枠部材１４の内側面には、その全周に亘って受け部１４ａが形成されている（図３（ａ）も参照。）。受け部１４ａは、後述する後側枠部材１６の前端１６ａと対向するように形成されている。
【００３７】
受け部１４ａの端部１４ｂからは後方に延びるように返し部１４ｃが形成されている。この返し部１４ｃと前側枠部材１４との間に、後側枠部材１６の前側を挿入することができるようになっている。前側枠部材１４と、受け部１４ａと、返し部１４ｃとで二股状部を構成しているのである。
【００３８】
前側枠部材１４の内側面であって受け部１４ａよりも後方となる位置に、ネジ固定用のネジ孔（移動禁止手段）１４ｄ〜１４ｆが前後方向にわたって複数形成されている。ネジ孔１４ｄ〜１４ｆの内側にはネジ山が形成されており、ネジ（締結ネジ）１５をねじ込むことができるようになっている。この複数のネジ孔１４ｄ〜１４ｆのうちいずれのネジ孔１４ｄを使用して後側枠部材１６を固定するかによって、筐体枠ユニット４の奥行きを変更することができるのであるが、詳細は後述する。なお、このネジ孔は、前側枠部材１４に対してナットを配置して形成してもよい。
【００３９】
後側枠部材１６は、前面が開口された箱状形状を呈する枠部材であり、雀球機２の上下面、左右側面及び後面を囲み第２の内部空間１６ｅが形成されている。後側枠部材１６は、図３（ａ），（ｂ）に示すように、前側枠部材１４の後方に、前側枠部材１４に対して前後移動可能に配置されて、雀球機２の内部機器を上下左右のみならず、後面からも保護している。
【００４０】
後側枠部材１６の左右側面には、後側枠部材１６を前側枠部材１４に対して位置決めして固定するためにネジ１５を貫通させる固定孔（貫通孔）（移動禁止手段）１６ｂが形成されている。図３（ａ）に示すように、固定孔１６ｂとネジ孔１４ｄとを位置合わせしてネジ固定した場合、筐体枠ユニット４の連通空間（第１の内部空間１４ｊと第２の内部空間１６ｅとによって連通形成される内部空間。）４ａの奥行き寸法は、Ｘ１となる。
【００４１】
図３（ｂ）に示すように、固定孔１６ｂとネジ孔１４ｆとを位置合わせしてネジ固定した場合、筐体枠ユニット４の連通空間４ａの奥行き寸法は、Ｘ２となる。奥行き寸法Ｘ２は、奥行き寸法Ｘ１よりも大きくなる。すなわち、ネジ孔１４ｆを使用して後側枠部材１６をネジ固定したほうが、筐体枠ユニット４の内部により大きな、又はより多くの内部機器を収容することができるようになるのである。また、筐体枠ユニット４の内部に収容する内部機器が小型であったり、少なかったりする場合には、ネジ孔１４ｄを使用して、筐体枠ユニット４の奥行き寸法を小さくし、雀球機２の設置スペースを省スペース化することができる。このようにネジ孔１４ｄ〜１４ｆと固定孔１６ｂとで、筐体枠ユニット４の前後移動を禁止するとともに連通空間の奥行き寸法変更機構を構成し、後側枠部材１６の前後移動によって連通空間４ａを拡縮可能としているのである。
【００４２】
なお、ネジ孔の代わりに前後方向に延びる長孔を形成してもよく、この場合、前側枠部材１４に対する後側枠部材１６の前後位置を微調整できるようになる。
【００４３】
後側枠部材１６の前側は、ネジ孔１４ｄ〜１４ｆのいずれのネジ孔を使用してネジ固定した場合であっても、前側枠部材１４の内側面と返し部１４ｃとの間に挿入されるようになっている。したがって、前側枠部材１４と後側枠部材１６との隙間１９から、雀球機２の内部に向けて異物を侵入させることを困難にすることができる。例えば隙間１９からピアノ線を侵入させても、受け部１４ａ及び返し部１４ｃが邪魔になって直進することができず、雀球機２の内部に上手くピアノ線を進めることができない。
【００４４】
遊技盤６は、この雀球機２において、遊技媒体としての球２０の流下による遊技を実現するための遊技装置体である。遊技盤６の遊技盤面６ａ上には、ランプ２２、通過口（ゲート）２４、入球口２６等の多数の役物が配置されている。また、遊技盤面６ａの下方部分には、各々所定の麻雀牌に対応して多数の下部入球口２８が横一列に並んで配置されている。
【００４５】
遊技盤面６ａには、球２０の流下方向を変化させるための多数のゲージ（障害釘、図示せず。）も配置されており、遊技盤面６ａ上を流下する球２０がゲージに衝突しつつ通過口２４を通過したり入球口２６，２８に入球したりすることによって、遊技が演出されるが、これら役物についての詳細な説明は省略する。
【００４６】
機枠８は、遊技盤６を保持するための枠体で、筐体枠ユニット４の前方に配置されてヒンジ部１８において筐体枠ユニット４に揺動支持され、筐体枠ユニット４に対して前面開閉可能とされている。機枠８の閉鎖状態において、遊技盤６は前側枠部材１４に囲まれた第１の内部空間１４ｊに保持された状態となる。
【００４７】
機枠８の下方部分には、遊技盤６に向けて球２０を発射するためのハンドル３０が設けられている。ハンドル３０は、遊技者の手動操作に基づいて回転可能とされた球発射用のハンドルであって、本実施の形態においては回転支軸部３０ａ、レバー部３０ｂを有して構成されている。
【００４８】
レバー部３０ｂは、ハンドル３０の回転中心となる回転支軸部３０ａから回転半径方向に向けて延長された部分であって、遊技者が手で直接操作する部分である。遊技者がハンドル３０を所定方向（矢印Ｚの方向。）に所定量回転させ、手を離すと遊技盤面上に球２０が発射されるようになっている。本実施の形態においては、ハンドル３０の回転量に応じた強度で球２０が発射されるようになっている。
【００４９】
なお、この雀球機２においては、所定個数（例えば、１１個。）の球２０が機内に封入循環されており、遊技盤６に向けて発射された球２０が遊技盤面６ａを流下し、所定の球経路を通って球供給装置へと導かれ、その球供給装置によって再び球発射位置へと送り出されるようになっている。
【００５０】
前面ガラス１０は、遊技盤６に対して一定距離以上離間して配置された透明板である。前面ガラス１０は透明平板ガラスで形成され、遊技盤６との間に球２０が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００５１】
装飾枠１２は、前面ガラス１０とその周囲を囲む装飾部材３６とを保持するための枠体である。その装飾枠１２は、機枠８の前面側に配置されてヒンジ部１８において機枠８とともに筐体枠ユニット４に揺動支持され、機枠８に対して前面開閉可能とされている。
【００５２】
装飾枠１２の略中央部には遊技者の視認確保のために大きく開口された中央開口１２ａが形成され、その中央開口１２ａに前面ガラス１０が取り付けられている。
【００５３】
中央開口１２ａの下方には前方（遊技者側）に膨出する膨出部１２ｂが形成され、その膨出部１２ｂにコイン投入ユニット１３、液晶表示部３２ａ、操作ボタン３２ｂが配置されている。
【００５４】
コイン投入ユニット１３から所定枚数のコインが投入されると、この雀球機２による遊技が開始可能となり、液晶表示部３２ａに所定個数の麻雀牌図柄が手持ち牌として配牌されて画像表示される。
【００５５】
遊技者が操作ボタン３２ｂの操作により手持ち牌の中から不要牌を選択すると、球発射可能となり、遊技者がハンドル３０を手動操作して球発射を行い、球２０が１つの下部入球口２８に入球すると、その下部入球口２８に対応する麻雀牌図柄が液晶表示部３２ａ上に表示され、手持ち牌に補充される。
【００５６】
再び遊技者が不要牌を選択して球発射を行い、球２０が入球した下部入球口２８に対応する麻雀牌が補充される。この操作を所定回数（例えば、１１回。）繰り返した結果、手持ち牌が所定のアガリ役になっていれば、景品としてのコインが受皿１７に向けて払い出される。
【００５７】
［変形例］
なお、筐体枠ユニットの奥行き寸法変更機構は様々な変形例を概念することができる。図４は、本変形例に係る後側枠部材１６の左側面を拡大した部分拡大図である。
【００５８】
後側枠部材１６の外側には係止爪（移動禁止手段）１６ｃが形成されている。係止爪１６ｃは、その上下に形成された溝１６ｄによって、弾性変形可能となっている。
【００５９】
図５（ａ）に示すように、本変形例に係る前側枠部材１４の内側面には、前後方向に亘って複数の係合凹部（移動禁止手段）１４ｇ〜１４ｉが形成されている。後側枠部材１６を前側枠部材１４に挿入させると、係止爪１６ｃと係合凹部１４ｇ〜１４ｉが係合して、前側枠部材１４に対して後側枠部材１６を固定できるようになっている。
【００６０】
係止爪１６ｃと係合凹部１４ｇとを係合させた場合、筐体枠ユニット４の連通空間４ａの奥行き寸法はＹ１となる。後側枠部材１６を、係止爪１６ｃと係合凹部１４ｇとの係合による規制力に抗して後方に引き抜くと、図５（ｂ）に示すように係止爪１６ｃが弾性変形し、係合が解除される。
【００６１】
さらに後側枠部材１６を引き抜くと、図５（ｃ）に示すように係止爪１６ｃと係合凹部１４ｈとが係合し、筐体枠ユニット４の連通空間４ａの奥行き寸法はＹ２となる。このように、係止爪と係合凹部との係合による規制力に抗して後側枠部材１６を引き抜くことで、奥行き寸法Ｙ２を奥行き寸法Ｙ１よりも大きくすることができる。つまり、係止爪１６ｃと係合凹部１４ｇ〜１４ｉとで後側枠部材１６の前後移動を禁止するとともに、連通空間４ａの奥行き寸法変更機構を構成しているのである。
【００６２】
以上、本発明の好ましい実施の形態を説明したが、本発明はこれらに限定されるものではなく、その要旨の範囲内で様々な変形や変更が可能である。
【図面の簡単な説明】
【００６３】
【図１】本発明の実施の形態に係る遊技機としての雀球機の外観斜視図である。
【図２】図１に示す雀球機が有する筐体枠ユニットの外観斜視図である。
【図３】図２に示す筐体枠ユニットを上方から見た断面の部分拡大図であって、（ａ）固定孔１６ｂとネジ孔１４ｄとを位置合わせした状態、（ｂ）固定孔１６ｂとネジ孔１４ｆとを位置合わせした状態を示す図である。
【図４】本変形例に係る後側枠部材の左側面を拡大した部分拡大図である。
【図５】図４に示す後側枠部材を、前側枠部材に嵌合させた状態を示す図であって、（ａ）係止爪１６ｃと係合凹部１４ｇとを係合させた状態、（ｂ）後側枠部材を引き抜いて係止爪１６ｃを弾性変形させた状態、（ｃ）係止爪１６ｃと係合凹部１４ｉとを係合させた状態を示す図である。
【符号の説明】
【００６４】
Ｘ１，Ｘ２，Ｙ１，Ｙ２：奥行き寸法
Ｚ：矢印
２：雀球機（遊技機）
４：筐体枠ユニット
４ａ：連通空間
６：遊技盤（遊技装置体）
６ａ：遊技盤面
８：機枠（枠体）
１０：前面ガラス（前面透明板）
１２：装飾枠
１２ａ：中央開口
１２ｂ：膨出部
１３：コイン投入ユニット
１４：前側枠部材（第１枠部材）（二股状部）
１４ａ： 受け部（二股状部）
１４ｂ： 端部
１４ｃ：返し部（二股状部）
１４ｄ〜１４ｆ：ネジ孔（移動禁止手段）
１４ｇ〜１４ｉ：係合凹部
１４ｊ：第１の内部空間
１５：ネジ（締結ネジ）
１６：後側枠部材（第２枠部材）
１６ａ：前端
１６ｂ：固定孔（貫通孔）（移動禁止手段）
１６ｃ：係止爪
１６ｄ：溝
１６ｅ：第２の内部空間
１７：受皿
１８：ヒンジ部（揺動支持部）
１９：隙間
２０：球（遊技媒体）
２２：ランプ
２４：通過口（ゲート）
２６：入球口
２８：下部入球口
３０：ハンドル
３０ａ：回転支軸部
３０ｂ：レバー部
３２ａ：液晶表示部
３２ｂ：操作ボタン
３６：装飾部材
【図１】
2009082323.tif 000003
【図２】
2009082323.tif 000004
【図３】
2009082323.tif 000005
【図４】
2009082323.tif 000006
【図５】
2009082323.tif 000007